(57)【要約】【課題】  本発明は、同期網の帯域を顧客要求に合わせてフレキシブルに割当てて運用することができる信号配信方法及びその装置を提供することを目的とする。【解決手段】  複数チャネルが多重されたテレビジョン信号のトランスポートパケットをデジタル放送規格の伝送フォーマットで供給され、同期網にて伝送し配信する信号配信方法において、顧客毎のチャネル多重数に応じて前記同期網における伝送レートを設定するよう構成する。【選択図】        図５
2006165599.tif 000002
【特許請求の範囲】
【請求項１】
複数チャネルが多重されたテレビジョン信号のトランスポートパケットをデジタル放送規格の伝送フォーマットで供給され、同期網にて伝送し配信する信号配信方法において、
顧客毎のチャネル多重数に応じて前記同期網における伝送レートを設定することを特徴とする信号配信方法。
【請求項２】
複数チャネルが多重されたテレビジョン信号のトランスポートパケットをデジタル放送規格の伝送フォーマットで供給され、同期網に送出する送信装置において、
顧客毎のチャネル多重数に応じて前記同期網における伝送レートを設定する伝送レート設定手段を有することを特徴とする送信装置。
【請求項３】
請求項２記載の送信装置において、
前記顧客毎に供給されるトランスポートパケットが前記顧客毎のチャネル多重数に応じ設定された同期網における伝送レートを超えたとき、供給されるトランスポートパケットを廃棄するパケット廃棄手段を有することを特徴とする送信装置。
【請求項４】
請求項３記載の送信装置において、
バッファに溜まった前記トランスポートパケットが所定バイト数以上であれば前記所定バイト数のトランスポートパケットをスーパーブロックに変換し、前記トランスポートパケットが前記所定バイト数未満であれば所定時間だけ前記スーパーブロックへの変換を延期して再び前記トランスポートパケットが前記所定バイト数未満であればパッド制御コードを付加して前記所定バイト数とされたトランスポートパケットを前記スーパーブロックに変換し、変換されたスーパーブロックをＧＦＰフレームにマッピングするＧＦＰマッピング手段を有することを特徴とする送信装置。
【請求項５】
デジタル放送規格の伝送フォーマットで複数チャネルが多重されたテレビジョン信号のトランスポートパケットが顧客毎のチャネル多重数に応じた伝送レートとされた信号を同期網から受信する受信装置であって、
受信信号から抽出したトランスポートパケットの間にスペースコードを埋め込んで出力レートを制御する出力レート制御手段を有することを特徴とする受信装置。
【請求項６】
請求項５記載の受信装置において、
所定期間毎にバッファに溜まった前記トランスポートパケットのパケット数から次の所定期間に前記バッファから各トランスポートパケットを均一に読み出すための読み出しウエイト時間を計算し、前記バッファから各トランスポートパケットを読み出す毎に前記読み出しウエイト時間だけ読み出しを待機させ、前記バッファから読み出したトランスポートパケットの８Ｂ１０Ｂエンコードを行って伝送フォーマットＤＶＢ−ＡＳＩに変換する８Ｂ１０Ｂエンコード手段を有することを特徴とする受信装置。
【発明の詳細な説明】
【技術分野】
【０００１】
本発明は、信号配信方法及びその装置に関し、ＳＯＮＥＴ／ＳＤＨ（Ｓｙｎｃｈｒｏｎｏｕｓ  Ｏｐｔｉｃａｌ  Ｎｅｔｗｏｒｋ  ／  Ｓｙｎｃｈｒｏｎｏｕｓ  Ｄｉｇｉｔａｌ  Ｈｉｅｒａｒｃｈｙ）等の同期網を使用してテレビジョン信号を配信する信号配信方法及びその装置に関する。
【背景技術】
【０００２】
従来のＣＡＴＶ（ＣＡｂｌｅ  ＴｅｌｅＶｉｓｉｏｎ）局またはＤＴＶ（Ｄｉｇｉｔａｌ  ＴｅｌｅＶｉｓｉｏｎ）局からユーザへのテレビジョン信号配信は、６４ＱＡＭ（Ｑｕａｄｒａｔｕｒｅ  Ａｍｐｌｉｔｕｄｅ  Ｍｏｄｕｌａｔｉｏｎ）方式を使用したアナログ方式による配信が主流であった。
【０００３】
図１は、従来のテレビジョン信号配信システムの一例のブロック図を示す。同図中、ＣＡＴＶのヘッドエンド局１０で例えば衛星放送から受信したテレビジョン信号はＩＲＴ（Ｉｎｔｅｇｒａｔｅｄ  Ｒｅｃｅｉｖｅｒ  Ｔｒａｎｓｃｏｄｅｒ）１１にて６４ＱＡＭ変調されたのち、コンバータ１２で高周波信号ＲＦに周波数変換され、多重部１３で多重化され、送信部１４からアナログ信号形態でネットワーク１５に送信される。受信部１６でネットワーク１５から受信されたアナログ信号形態の高周波信号ＲＦは分配部１７で複数系統に分配され、アンプ１８で増幅されたのち各同軸ケーブル１９を通して各ユーザに配信される。
【０００４】
このアナログ方式はシステムが古く、回線当りのチャネル数が多く取れないことや、ケーブル電話等に対応できなかった。近年ＣＡＴＶのヘッドエンド局からの配信はＣＯＤＥＣ装置を介してデジタル信号に変換を行って配信を行う方式に変わる移行期にある。
【０００５】
図２は、従来のテレビジョン信号配信システムの他の一例のブロック図を示す。同図中、ＣＡＴＶのヘッドエンド局２０で例えば衛星放送から受信したテレビジョン信号はＩＲＴ２１にて６４ＱＡＭ変調されて変復調送信部２３に供給される。また、変復調送信部２３にはビデオスイッチ２２から他チャネルの６４ＱＡＭ変調されたテレビジョン信号が供給される。
【０００６】
変復調送信部２３では６４ＱＡＭ被変調信号をチャネル毎に符号化してデジタル化したのち多重化して電気／光変換し、例えば伝送レート２．３８Ｇｂｐｓの光信号とする。この光信号は光多重部２４で更に光多重化され光伝送路２５に送出される。
【０００７】
光伝送路２５からの光信号は光分離部２６で波長毎に分離され、変復調受信部２７で光／電気変換されたのち各チャネルに多重分離され、チャネル毎に復号化されアナログの６４ＱＡＭ被変調信号とされる。この６４ＱＡＭ被変調信号はコンバータ２８で高周波信号ＲＦに周波数変換され、高周波信号ＲＦは分配部２９で複数系統に分配され、アンプ３０で増幅されたのち各同軸ケーブル３１を通して各ユーザに配信される。
【０００８】
ここでは、テレビジョン信号が圧縮されず、そのまま１チャネル当り１５５．５２Ｍｂｐｓの帯域を使用した６４ＱＡＭ被変調信号とされ、変復調送信部２３は、その信号を多重して２．３８８Ｇｂｐｓに束ねて更に多重を重ね、Ｎ×２．３８８Ｇｂｐｓ（Ｎは任意の整数）にて配信を行っている。
【０００９】
この方式はテレビジョン信号を圧縮していないため、１チャネル当り１５５Ｍｂｐｓの帯域を必要とし、また伝送レートがＳＯＮＥＴ／ＳＤＨの信号伝送レートとは異なるためＳＯＮＥＴ／ＳＤＨ  装置との親和性が悪く、ケーブル電話等のサービスができなかった。
【００１０】
この問題を解決するために、ＣＯＤＥＣ装置とＳＯＮＥＴ／ＳＤＨ伝送装置を使用した方式がある。図３は、従来のテレビジョン信号配信システムの別の一例のブロック図を示す。
【００１１】
図３において、ＣＡＴＶのヘッドエンド局４０で例えば衛星放送から受信したテレビジョン信号はＩＲＴ４１にて６４ＱＡＭ変調されて変復調送信部４３に供給される。また、変復調送信部４３にはビデオスイッチ４２から他チャネルの６４ＱＡＭ変調されたテレビジョン信号が供給される。
【００１２】
変復調送信部４３では６４ＱＡＭ被変調信号をチャネル毎に符号化してデジタル化したのち多重化して電気／光変換し、１チャネル当り１５５ＭｂｐｓでＳＯＮＥＴ／ＳＤＨのパスＳＴＳ−ｘｘにマッピングされ、ＳＯＮＥＴ／ＳＤＨ送信部４４に供給され、ＳＯＮＥＴ／ＳＤＨ送信部４４からＳＯＮＥＴ／ＳＤＨの通信回線ＯＣ−ｘｘ（Ｏｐｔｉｃａｌ  Ｃａｒｒｉｅｒ−ｘｘ）として光伝送路４５に送出される。
【００１３】
光伝送路４５からの光信号はＳＯＮＥＴ／ＳＤＨ受信部４６で受信され、ＳＯＮＥＴ／ＳＤＨのパスＳＴＳ−ｘｘにマッピングされた電気信号が得られる。この電気信号は変復調受信部４７で各チャネルに多重分離され、チャネル毎に復号化されアナログの６４ＱＡＭ被変調信号とされる。この６４ＱＡＭ被変調信号はコンバータ４８で高周波信号ＲＦに周波数変換され、高周波信号ＲＦは分配部４９で複数系統に分配されて各ユーザに配信される。
【００１４】
この方式は、従来のアナログ式伝送方式と比較して非常にコスト高であり、また、システム全体の制御がＣＯＤＥＣ装置の管理及びＳＯＮＥＴ／ＳＤＨ専用装置の管理となり２重管理であり煩雑となっていた。
【００１５】
この問題を解決するために、ヨーロッパのデジタル放送規格の一つであるＤＶＢ−ＡＳＩ（Ｄｉｇｉｔａｌ  Ｖｉｄｅｏ  Ｂｒｏａｄｃａｓｔｉｎｇ    ＡＳｙｎｃｈｒｏｎｏｕｓ  Ｉｎｔｅｒｆａｃｅ）の伝送フォーマットにより、ＭＰＥＧ（Ｍｏｖｉｎｇ  Ｐｉｃｔｕｒｅ  Ｅｘｐｏｒｔｓ  Ｇｒｏｕｐ）規格のＭＰＥＧ−２ＴＳ（Ｔｒａｎｓｐｏｒｔ  Ｓｔｒｅａｍ）パケットをＳＯＮＥＴ／ＳＤＨ伝送網に伝送する方式が考えられている。また、これに類する方式として、例えば、特許文献１に記載の伝送方式がある。
【特許文献１】特開平１０−１９０７６７号公報
【発明の開示】
【発明が解決しようとする課題】
【００１６】
ＤＶＢ−ＡＳＩの伝送フォーマットにより、ＭＰＥＧ−２ＴＳパケットをＳＯＮＥＴ／ＳＤＨ伝送網にて伝送する方式では、１テレビジョンチャネル当り最大３．７５Ｍｂｐｓ程度圧縮して送信できるため、ＳＯＮＥＴ／ＳＤＨ伝送装置のＤＶＢ−ＡＳＩの受信ポート当り最大７２ｃｈの受信が可能となり、ＳＯＮＥＴ／ＳＤＨ網への配信が可能となる。
【００１７】
しかし、この場合、ＣＡＴＶ局はＳＯＮＥＴ／ＳＤＨ伝送装置のＤＶＢ−ＡＳＩインタフェースに対して３．７５ＭｂｐｓのＭＰＥＧ−２ＴＳパケットを数百ｃｈ配信してくるため、ＤＶＢ−ＡＳＩインタフェースは数ポートの受け口を持つことになる。しかし、全てのＤＶＢ−ＡＳＩ受信ポートに３．７５ＭｂｐｓのＭＰＥＧ−２ＴＳパケットが７２ｃｈ（３．７５Ｍｂｐｓｘ７２ｃｈ＝２７０Ｍｂｐｓ，ＤＶＢ−ＡＳＩの最大受信データレート＝２７０Ｍｂｐｓ）配信されているわけではなく、ＤＶＢ−ＡＳＩインタフェースのあるポートは数ｃｈ分しか配信されていない場合もありうる。
【００１８】
通常、ＤＶＢ−ＡＳＩの最大受信レート２７０ＭｂｐｓをＳＯＮＥＴ／ＳＤＨ網の帯域に割当てを行う場合、ＳＯＮＥＴではＳＴＳ−１−６ｖ（３１１．０４Ｍｂｐｓ）を割当て、ＳＤＨではＳＴＭ−１（３１１．０４Ｍｂｐｓ）を割当てている。
【００１９】
この時、顧客側としてはこのポートをＳＯＮＥＴ／ＳＤＨ伝送網に帯域を割当てて乗せるためには、ＳＴＳ−１−６ｖ（３１１．０４Ｍｂｐｓ）ではなくＳＴＳ−１−６ｖ未満の帯域で契約を行いたいはずである。しかし、そのＳＯＮＥＴ／ＳＤＨの帯域を顧客要求に合わせてフレキシブルに割当てて運用する最適な方法がないという問題があった。
【００２０】
また、仮に、ＣＡＴＶ局側のＳＯＮＥＴ／ＳＤＨ伝送装置側で帯域を絞ったＭＰＥＧ−２ＴＳパケットを送信できた場合においても、受信側のＳＯＮＥＴ／ＳＤＨ信号から、ＭＰＥＧ−２ＴＳパケットを取り出して配信する場合、フルレートでデータが入っていないため、ＤＶＢ−ＡＳＩインタフェースで出力側のＤＶＢ−ＡＳＩのデータレート（２７０Ｍｂｐｓ）に合わせ込むための、何らかの補正処理が必要であるが、その具体的な処理方法が考えられていないという問題があった。
【００２１】
本発明は、上記の点に鑑みなされたものであり、同期網の帯域を顧客要求に合わせてフレキシブルに割当てて運用できる信号配信方法及びその装置を提供することを総括的な目的とする。
【課題を解決するための手段】
【００２２】
請求項１に記載の発明は、複数チャネルが多重されたテレビジョン信号のトランスポートパケットをデジタル放送規格の伝送フォーマットで供給され、同期網にて伝送し配信する信号配信方法において、
顧客毎のチャネル多重数に応じて前記同期網における伝送レートを設定することにより、同期網の帯域を顧客要求に合わせてフレキシブルに割当てて運用することができる。
【００２３】
請求項２に記載の発明は、複数チャネルが多重されたテレビジョン信号のトランスポートパケットをデジタル放送規格の伝送フォーマットで供給され、同期網に送出する送信装置において、
顧客毎のチャネル多重数に応じて前記同期網における伝送レートを設定する伝送レート設定手段を有することにより、同期網の帯域を顧客要求に合わせてフレキシブルに割当てることができる。
【００２４】
請求項３に記載の発明は、請求項２記載の送信装置において、
前記顧客毎に供給されるトランスポートパケットが前記顧客毎のチャネル多重数に応じ設定された同期網における伝送レートを超えたとき、供給されるトランスポートパケットを廃棄するパケット廃棄手段を有することにより、契約帯域を越えた入力データを廃棄することができる。
【００２５】
請求項４に記載の発明は、請求項３記載の送信装置において、
バッファに溜まった前記トランスポートパケットが所定バイト数以上であれば前記所定バイト数のトランスポートパケットをスーパーブロックに変換し、前記トランスポートパケットが前記所定バイト数未満であれば所定時間だけ前記スーパーブロックへの変換を延期して再び前記トランスポートパケットが前記所定バイト数未満であればパッド制御コードを付加して前記所定バイト数とされたトランスポートパケットを前記スーパーブロックに変換し、変換されたスーパーブロックをＧＦＰフレームにマッピングするＧＦＰマッピング手段を有することにより、同期網の帯域を有効利用することができる。
【００２６】
請求項５に記載の発明は、デジタル放送規格の伝送フォーマットで複数チャネルが多重されたテレビジョン信号のトランスポートパケットが顧客毎のチャネル多重数に応じた伝送レートとされた信号を同期網から受信する受信装置であって、
受信信号から抽出したトランスポートパケットの間にスペースコードを埋め込んで出力レートを制御する出力レート制御手段を有することにより、伝送レートの合わせ込みを行うことができる。
【００２７】
請求項６に記載の発明は、請求項５記載の受信装置において、
所定期間毎にバッファに溜まった前記トランスポートパケットのパケット数から次の所定期間に前記バッファから各トランスポートパケットを均一に読み出すための読み出しウエイト時間を計算し、前記バッファから各トランスポートパケットを読み出す毎に前記読み出しウエイト時間だけ読み出しを待機させ、前記バッファから読み出したトランスポートパケットの８Ｂ１０Ｂエンコードを行って伝送フォーマットＤＶＢ−ＡＳＩに変換する８Ｂ１０Ｂエンコード手段を有することにより、トランスポートパケットの送信間隔を最適化することができる。
【発明の効果】
【００２８】
本発明によれば、同期網の帯域を顧客要求に合わせてフレキシブルに割当てて運用することができる。
【発明を実施するための最良の形態】
【００２９】
以下、図面に基づいて本発明の実施形態について説明する。
【００３０】
以下、本発明の実施形態を図面に基づいて説明する。
【００３１】
図４は、本発明の信号配信方法を適用した伝送システムの一実施形態のブロック図を示す。
【００３２】
同図中、ＣＡＴＶのヘッドエンド局５０で例えば衛星放送から受信したテレビジョン信号はＩＲＴ５１にて複数チャネルが多重されたＤＶＢ−ＡＳＩ信号に変換され１顧客のＤＶＢ−ＡＳＩ信号としてビデオスイッチ５２に供給される。また、ビデオスイッチ５２には他の顧客のＤＶＢ−ＡＳＩ信号が供給されており、ビデオスイッチ５２で選択された複数の顧客のＤＶＢ−ＡＳＩ信号がＳＯＮＥＴ／ＳＤＨ送信部５３の複数の入力ポートそれぞれに供給される。
【００３３】
ＳＯＮＥＴ／ＳＤＨ送信部５３には１つの入力ポート当たり、高画質テレビジョンの１チャネル当り３．７５ＭｂｐｓのＭＰＥＧ−２ＴＳパケットを最大７２チャネル（３．７５Ｍｂｐｓ×７２チャネル＝２７０Ｍｂｐｓ）多重したＤＶＢ−ＡＳＩ信号を供給され、ＳＯＮＥＴ／ＳＤＨ送信部５３はこのＤＶＢ−ＡＳＩ信号をＳＯＮＥＴ／ＳＤＨフォーマットに乗せ代え、ＳＴＳスイッチングを行って光伝送路５４に送出する。
【００３４】
光伝送路５４からの光信号はローカル局のＳＯＮＥＴ／ＳＤＨ受信部５５で受信され、ＳＴＳスイッチングを行ったのちＤＶＢ−ＡＳＩ信号に変換される。この信号はビデオスイッチ及び変換部５６に供給され、選択されたＤＶＢ−ＡＳＩ信号がＭＰＥＧ−２形式からテレビジョン信号形式に変換され、更に６４ＱＡＭ変調されて６４ＱＡＭ被変調信号とされる。６４ＱＡＭ被変調信号はコンバータ５７にて高周波信号ＲＦに周波数変換され、高周波信号ＲＦは分配部５８で複数系統に分配されて各ユーザに配信される。
【００３５】
図５は、ＳＯＮＥＴ／ＳＤＨ送信部５３の一実施形態のブロック図を示す。同図中、入力ポート６０１〜６０ｍそれぞれには３．７５ＭｂｐｓのＭＰＥＧ−２信号を最大７２チャネル多重したＤＶＢ−ＡＳＩ信号が入力される。各ＤＶＢ−ＡＳＩ信号は等化回路６１１〜６１ｍで自動波形等化され、クロック再生回路６２１〜６２ｍで受信信号のクロックから装置内部のクロックに変換されたのち、８Ｂ１０Ｂデコーダ６３に供給される。
【００３６】
８Ｂ１０Ｂデコーダ６３は、各ＤＶＢ−ＡＳＩ信号の１０ビットコードを８ビットコードに変換し、実際のキャラクタデータの伝送レートが最大２１６Ｍｂｐｓの信号として伝送レート制御部６４に供給する。伝送レート制御部６４では、この信号を伝送レートの制御を行いつつＧＦＰフレームにマッピングする。
【００３７】
ＳＯＮＥＴマッピング部６５では、入力ポート６０１〜６０ｍそれぞれに割当てられている顧客との契約に基づき、各入力ポート６０１〜６０ｍから入力されたＤＶＢ−ＡＳＩ信号をマッピングしたＧＦＰフレームをバーチャルコンカチネーションによりパスＳＴＳ−１−１ｖ，ＳＴＳ−１−３ｖ，ＳＴＳ−１−５ｖ，ＳＴＳ−１−６ｖにマッピングし、更に、これらを図８に示すパスＳＴＳ−４８のチャネル１〜４８にマッピングする。
【００３８】
ここで、２７０ＭｂｐｓのＤＶＢ−ＡＳＩ信号をＳＴＳ−１（５２Ｍｂｐｓ）単位で６本使用したＳＴＳ−１−６ｖ（３１１Ｍｂｐｓ）にマッピングした場合について説明する。図６に示すように、ＳＴＳ−１−６ｖのペイロード部分をコラム毎に６本のＳＴＳ−１＃０〜ＳＴＳ−１＃５に分解する。分解された６本のＳＴＳ−１＃０〜ＳＴＳ−１＃５それぞれはコラム毎にシーケンス番号をパスオーバーヘッド（ＰＯＨ）内のＨ４バイトに格納する。
【００３９】
図７を用いてマルチフレーム時のＨ４バイトについて説明する。ＭＦＩ（Ｍｕｌｔｉ  Ｆｒａｍｅ  Ｉｎｄｉｃａｔｏｒ）は下位４ビットのＭＦＩ１と上位８ビットのＭＦＩ２に分けられ、ＭＦＩ１はＨ４バイト内のビット５〜８を占め、フレーム毎にインクリメントされる。ＭＦＩ２は、ＭＦＩ１＝０，１のときのビット１〜４で表現する。ＭＦＩ１＝０のときがＭＦＩ２のＭＳＢ、ＭＦＩ１＝１のときがＭＦＩ２のＬＳＢを示す。また、８ビットのシーケンス番号（ＳＱ）はＭＦＩ１＝１４，１５のときのビット１〜４で表現する。ＭＦＩ１＝１４のときがシーケンス番号のＭＳＢ、ＭＦＩ１＝１５のときがシーケンス番号のＬＳＢを示す。
【００４０】
ＢＷＢインタフェース６６は、図８に示す３２ビットパラレルのＳＴＳ−４８のデータを図９に示す各８ビットパラレルのＳＴＳ−１２の４系統並列データに変換し、更に、シリアルデータに変換してＳＴＳスイッチ６７に供給する。なお、図８及び図９内の１〜４８の数字はチャネル番号を示している。
ＳＴＳスイッチ６７でスイッチングされたデータは送信部６８から光伝送路５４に送出される。この際、光伝送路５４にはＳＴＳ−４８（２４８８Ｍｂｐｓ）の伝送レートにて送出される。
【００４１】
ここで、ＣＡＴＶのヘッドエンド局５０のビデオスイッチ５２からＳＯＮＥＴ／ＳＤＨ送信部５３の入力ポート６０１〜６０ｍには、図１０（Ａ）または図１０（Ｂ）にフォーマットを示すＤＶＢ−ＡＳＩ信号を数１００チャネル配信してくるため、ＳＯＮＥＴ／ＳＤＨ送信部５３のＤＶＢ−ＡＳＩインタフェースとして数ポートの受け口（６０１〜６０ｍ）を持つことになる。
【００４２】
しかし、全てのＤＶＢ−ＡＳＩ信号を受信する入力ポート６０１〜６０ｍに３．７５ＭｂｐｓのＭＰＥＧ−２信号が７２チャネル（２７０Ｍｂｐｓ，ＤＶＢ−ＡＳＩの最大受信データレート＝２７０Ｍｂｐｓ）配信されているわけではなく、ある入力ポートは数チャネル分しか配信されていない場合もある。
【００４３】
ところで、ＤＶＢ−ＡＳＩの最大受信レート２７０Ｍｂｐｓを８Ｂ１０ＢデコードしたのちＳＯＮＥＴ網の帯域に割当てを行う場合、ＳＴＳ−１−５ｖに割当てる。しかし、顧客側としては、上記のように数チャネル分しか配信されていない入力ポートはＳＯＮＥＴ／ＳＤＨ伝送網の使用帯域はＳＴＳ−１−５ｖではなく、ＳＴＳ−１−５ｖ未満の例えばＳＴＳ−１−１ｖ（５１．８４Ｍｂｐｓ）等の低コストの帯域で契約を行いたいはすである。
【００４４】
本発明では、ＳＯＮＥＴマッピング部６５で、入力ポート６０１〜６０ｍそれぞれに割当てられている顧客との契約に基づき、各入力ポート６０１〜６０ｍから入力されたＤＶＢ−ＡＳＩ信号をマッピングしたＧＦＰフレームをバーチャルコンカチネーションによりパスＳＴＳ−１−１ｖ，ＳＴＳ−１−３ｖ，ＳＴＳ−１−５ｖ，ＳＴＳ−１−６ｖの何れかにマッピングしているため、顧客の要求に合わせた帯域割当てを行うことができ、ＳＯＮＥＴ／ＳＤＨ伝送網の帯域を有効利用することができる。
【００４５】
図１１は、本発明における伝送レート制御を説明するためのブロック図を示す。同図中、８Ｂ１０Ｂデコーダ６３から入力ポート６０１〜６０ｍ毎に供給される８ビットコードとされた各ＤＶＢ−ＡＳＩ信号はパケット抽出部７１に供給され、ＭＰＥＧ−２ＴＳパケットの抽出と、ＭＰＥＧ−２ＴＳパケットの区切りに設けられているクロックの同期を取るためのＫ２８．５スペースコードを抽出が行われる。抽出されたＭＰＥＧ−２ＴＳパケットは全て第１バッファ７２に書き込まれるが、Ｋ２８．５スペースコードは第１バッファ７２に書き込むときに取り除かれる。但し、第２バッファ７４からのスーパーブロックの読み出し時に、対向するＳＯＮＥＴ／ＳＤＨ受信部５５でクロック同期を取るため、最低２バイトのＫ２８．５スペースコードをＭＰＥＧ−２ＴＳパケット間に残しておく。
【００４６】
第１バッファ７２より読み出されたＭＰＥＧ−２ＴＳパケットは、ＧＦＰマッピング部７５に渡す前の前処理として、６４Ｂ／６５Ｂ変換部７３で６４Ｂ／６５Ｂのフレーム変換を行われる。この変換後のフレームをスーパーブロックと呼ぶ。
【００４７】
このスーパーブロックは第２バッファ７４に書き込まれる。各ポートの第２バッファ７４のスーパーブロックをラウンドロビン方式で読み出し、ＧＦＰマッピング部７５に転送する。ＧＦＰマッピング部７５では供給されるスーパーブロックを図１２に示すフォーマットのＧＦＰフレームにマッピングする。この際に、転送したいポートの第２バッファ７４は、その状態を３ビットの信号ＴＡＤＤとしてＧＦＰマッピング部７５経由でＳＯＮＥＴマッピング部６５に通知し、ＳＯＮＥＴマッピング部６５からの応答ＰＴＣＡを待つ。
【００４８】
ここで、あるポートに入力されたＭＰＥＧ−２ＴＳパケットの帯域がＳＯＮＥＴ側の帯域がより高かった場合、つまり、契約帯域を越えてＭＧＥＰ−２ＴＳパケット信号が入力されている場合、ＧＦＰマッピング部７５へのスーパーブロック送出ができなくなり、第２バッファ７４にスーパーブロックが蓄積されていくことになる。
【００４９】
このため、第２バッファ７４には、予め第２バッファの容量がある値を越えた場合に第１バッファ７２に対してＭＰＥＧ−２ＴＳパケットの書き込みを禁止するための第１閾値が設定されており、この第１閾値を越えた場合に第１バッファ７２に対してＭＰＥＧ−２ＴＳパケットの書き込みを禁止することにより契約帯域を越えた入力データの廃棄処理を行う。
【００５０】
また、第１バッファ７２でＭＰＥＧ−２ＴＳパケットの廃棄を行った場合、時間が経過すると第２バッファ７４のスーパーブロックが出力されて、ある容量まで低下したならば、再び第１バッファ７２に対してＭＰＥＧ−２ＴＳパケットの書き込みを許可するように第２閾値（第２閾値＜第１閾値）が設けられており、この第２閾値より低下した場合に第１バッファ７２に対してＭＰＥＧ−２ＴＳパケットの書き込みを許可する。
【００５１】
このようにして入力側のデータ（ＭＰＥＧ−２ＴＳパケット）の流量をＳＯＮＥＴ／ＳＤＨ側の帯域に合わせてレート制御することにより、ＳＯＮＥＴ／ＳＤＨの伝送帯域以上のＭＰＥＧ−２ＴＳパケットが入力されてきても、急激にＭＰＥＧ−２ＴＳパケットの廃棄を開始せずにある一定期間の保護を取ってデータ送信の品質を保つことが可能となる。
【００５２】
６４Ｂ／６５Ｂ変換部７３で行う６４Ｂ／６５Ｂ変換は、ＩＴＵ−Ｔ勧告のＧ．７０４１／Ｙ．１３０３にて標準化された方法である。ＭＰＥＧ２−ＴＳパケットを８バイト単位に切り出し、変換則により制御コードがあればコード変換して並べ替えを行う。この８バイト単位を８個束ね、さらに８バイト中に制御コード有り無しフラグである１バイトのリーディングフラグＬＦを付与し、全体で６５バイトのスーパーブロックを構成する。よって、スーパーブロックを構成するには６４バイトのＭＰＥＧ２−ＴＳパケットデータが必要である。
【００５３】
ＭＰＥＧ２−ＴＳパケットは１８８バイトもしくは２０４バイト長であり、１パケットを変換するには複数のスーパーブロックが必要となる（今回の方式ではＫ２８．５のスペースコードを１パケット当り２個付与するため、実際に必要なバイト数は１９０バイトもしくは２０６バイトとなる）。
【００５４】
ＭＰＥＧ２−ＴＳパケットが１８８バイト長の場合は３スーパーブロック、２０４バイト長の場合は４スーパーブロックが必要で、１８８バイト長の場合は２バイトの空き、２０４バイト長の場合は５０バイトの空きが発生する。このように空きがある場合にはパッド制御コードを挿入することが一般的である。なお、このパッド制御コードは受信側の６４Ｂ／６５Ｂデコード処理において廃棄される。
【００５５】
ところで、本発明では、ＳＯＮＥＴ／ＳＤＨ伝送網の帯域を有効利用するため、パケット境界を意識しないスーパーブロック変換処理を行う。図１３に、そのスーパーブロック変換処理の概要を示す。ＭＰＥＧ２−ＴＳパケットは、パケットの先頭以外の不要なスペースコード（ＳＣ）を削除されて図１１に示す第１バッファ７２に蓄えられる。スーパーブロック化は、パケットの境界を意識せず第１バッファ７２に格納されたＭＰＥＧ２−ＴＳパケットを先頭から６４バイトずつ処理する方法をとる。
【００５６】
また、ＭＰＥＧ２−ＴＳパケットのデータレートによっては一時的に第１バッファ７２に６４バイト未満のデータが残っており、スーパーブロック化に足りない状態が考えられる。この状態ではパッド制御コードを挿入せず、スーパーブロック化を一定のウエイト時間だけ待たせ、６４バイト以上のデータが第１バッファ７２に溜まってからスーパーブロック化の処理を再開させる。このウエイト時間は顧客のＭＰＥＧ−２ＴＳのレートと、ＳＯＮＥＴ／ＳＤＨ伝送路帯域等の要因により決定する。
【００５７】
上記のウエイト後、第１バッファ７２に溜まっているデータが６４バイト未満の場合は、パケットの送達遅延を少なくするために、パッド制御コードを挿入してスーパーブロック化を行う。
【００５８】
これら一連の動作について図１４（Ａ）〜（Ｃ）を用いて説明する。図１４（Ａ）は、第１バッファ７２に６４バイト以上のＭＰＥＧ２−ＴＳパケットデータが溜まっている場合であり、先頭より６４バイトずつデータを読み出し６４Ｂ／６５Ｂ変換部７３でスーパーブロック化を行う。
【００５９】
図１４（Ｂ）は、６４バイト未満のＭＰＥＧ２−ＴＳパケットデータしか残っていない場合であり、設定されたウエイト時間だけスーパーブロック化の手順を停止し、６４バイト以上データが溜まるのを待つ。
【００６０】
図１４（Ｃ）は、一定のウエイト時間を経過しても６４バイトに満たないＭＰＥＧ２−ＴＳパケットデータしか溜まっていない場合であり、この場合はデータ送信遅延を少なくするため、直ちにパッド制御コードを追加し６４バイトにしてスーパーブロック化を行う６４Ｂ／６５Ｂ変換部７３に送信する。
【００６１】
図１５に６４Ｂ／６５Ｂ変換部７３の構成を示し、図１６に６４Ｂ／６５Ｂ変換部７３の処理フローチャートを示す。図１５において、６４Ｂ／６５Ｂ変換部７３は、変換処理部７３ａと、リード制御部７３ｂと、パッド追加部７３ｃから構成されている。リード制御部７３ｂには外部から供給されたウエイト時間が設定されている。
【００６２】
図１６において、ステップＳ１０でリード制御部７３ａは第１バッファ７２を監視し、ステップＳ１２で第１バッファ７２内にＭＰＥＧ２−ＴＳパケットが６４バイト以上溜まっているか否かを判別する。６４バイト以上溜まっている場合は、ステップＳ１４で第１バッファ７２からパケットをリードし、ステップＳ１６にて変換処理部７３ａの６４Ｂ／６５Ｂ変換処理後、ステップＳ１８で第２バッファ７４へのライト処理を行う。
【００６３】
ステップＳ１２で第１バッファ７２に溜まっているＭＰＥＧ２−ＴＳパケットが６４バイト未満だった場合は、ステップＳ２０でウエイト時間だけ待った後、ステップＳ２２，Ｓ２４で再度第１バッファ７２の監視を行う。このとき、パケットが６４バイト以上溜まっている場合は、ステップＳ１４に進んで第１バッファ７２からパケットをリードし、ステップＳ１６，Ｓ１８で６４Ｂ／６５Ｂ変換処理後に第２バッファ７４へのライト処理を行う。
【００６４】
ステップＳ２４でパケットが６４バイト未満の場合にはステップＳ２６にて６４バイト未満のデータを第１バッファ７２から読み出し、ステップＳ２８に進んでパッド追加部７３ｃで上記データにパッド制御コードを追加しバイト長を６４バイトにした後ステップＳ１６に進み６４Ｂ／６５Ｂ変換処理を行う。
【００６５】
このようにして、ＳＯＮＥＴ／ＳＤＨ伝送網の帯域を有効利用することが可能となる。
【００６６】
図１７は、ＳＯＮＥＴ／ＳＤＨ受信部５５の一実施形態のブロック図を示す。同図中、送信部８１で光伝送路５４から受信された信号はＳＴＳスイッチ８２に供給されスイッチングされたのち、ＢＷＢインタフェース８３でシリアルデータから図９に示す各８ビットパラレルのＳＴＳ−１２の４系統並列データに変換され、更に、図８に示す３２ビットパラレルのＳＴＳ−４８のデータに変換されてＳＯＮＥＴデマッピング部８４に供給される。
【００６７】
ＳＯＮＥＴデマッピング部８４では、パスＳＴＳ−４８をバーチャルコンカチネーションのパスＳＴＳ−１−１ｖ，ＳＴＳ−１−３ｖ，ＳＴＳ−１−５ｖ，ＳＴＳ−１−６ｖそれぞれにデマッピングし、更に、ＧＦＰフレームにデマッピングして出力レート制御部８５に供給する。
【００６８】
ここで、図７に示す６本のＳＴＳ−１＃０〜ＳＴＳ−１＃５からＳＴＳ−１−６ｖを組み立てる場合は、同一のＭＦＩを持つフレームをシーケンス番号に従い分解されたＳＴＳ−１からＳＴＳ−１−６ｖを組み立てる。もちろん，フレームの到着タイミングのずれが発生してＭＦＩが一致しなくなると組立不能となるため、バッファを持ち、その中に複数のフレームを格納して組み立て作業を行う。
【００６９】
出力レート制御部８５ではＧＦＰフレームのデマッピングを行い、かつ、出力ポート単位で出力レートの制御を行って８Ｂ１０Ｂエンコーダ８６に供給する。８Ｂ１０Ｂエンコーダ８６は出力ポート単位で８ビットコードを１０ビットコードに変換することで、ＭＰＥＧ−２信号を最大７２チャネル多重したＤＶＢ−ＡＳＩ信号に変換する。
【００７０】
各ＤＶＢ−ＡＳＩ信号は、ケーブルドライバ８７１〜８７ｍ及びアンプ８８１〜８８ｍを通して出力ポート８９１〜８９ｍから送出される。
【００７１】
図１８は、本発明における出力レート制御を説明するためのブロック図を示す。同図中、ＳＯＮＥＴデマッピング部８４から出力されるＧＦＰフレームは出力レート制御８５内のＧＦＰデマッピング部９１に供給され、ＧＦＰフレームからスーパーブロックにデマッピングされる。
【００７２】
デマッピングされたスーパーブロックはラウンドロビン方式で読み出され、出力ポート８９１〜８９ｍ毎に設けられた６４Ｂ／６５Ｂ変換部９２に供給される。各６４Ｂ／６５Ｂ変換部９２ではスーパーブロックの６５Ｂ／６４Ｂのフレーム変換を行って元のＭＰＥＧ−２ＴＳパケットに戻される。ここで得られたＭＰＥＧ−２ＴＳパケットの間には最低２バイトのＫ２８．５スペースコードが入っている。
【００７３】
この後、パケット抽出部９３でＭＰＥＧ−２ＴＳパケットが抽出されて第３バッファ９４に蓄積される。第３バッファ９４に蓄積されたＭＰＥＧ−２ＴＳパケットは８Ｂ１０Ｂエンコーダ８６により各出力ポートで並行して読み出されていく。８Ｂ１０Ｂエンコーダ８６は、読み込んだＭＰＥＧ−２ＴＳパケットの８Ｂ１０Ｂ変換を行って１０ビットコードに変換しシリアルに出力する。
【００７４】
また、シリアル出力の伝送レートは２７０Ｍｂｐｓであるため、８Ｂ１０Ｂエンコーダ８６はＭＰＥＧ−２ＴＳパケット（実データ）の隙間に伝送レートに合わせ込むためＫ２８．５スペースコードを埋め込んで行く。
【００７５】
しかし、８Ｂ１０Ｂエンコーダ８６後の送信出力クロックが、後続の受信装置側のクロックより若干早い場合、送信側では少しずつデータが出力されなくなり、８Ｂ１０Ｂエンコーダ８６の前段の第３バッファ９４にＭＰＥＧ−２ＴＳパケットが滞留してくる。
【００７６】
このとき、第３バッファ９４に第３閾値以上のＭＰＥＧ−２ＴＳパケットが溜まったら、次に書き込まれるＭＰＥＧ−２ＴＳパケットを廃棄するようにする。ＭＰＥＧ−２ＴＳパケットの廃棄を行った場合、時間が経過すると第３バッファ９４内のＭＰＥＧ−２ＴＳパケットがはけてきて、第４閾値（第４閾値＜第３閾値）までＭＰＥＧ−２ＴＳパケットの蓄積が低下したら、再度ＭＰＥＧ−２ＴＳパケットの書き込みを許可する。
【００７７】
逆に送信側のクロックより、受信側のクロックが早い場合は、第３バッファ９４内から読み出すＭＰＥＧ−２ＴＳパケットがなくなるため、送信データの隙間ができないように、Ｋ２８．５スペースコードを埋め込んで伝送レートの合わせ込みを行うことにより、バッファアンダーランが発生しないようにすることができる。
【００７８】
８Ｂ１０Ｂエンコーダ８６におけるＭＰＥＧ２−ＴＳパケットデータの送信間隔を最適化する処理について説明する。図１８の第３バッファ９４にはパケット抽出部９３にて抽出されたＭＰＥＧ２−ＴＳパケットがパケット単位で蓄積されている。
【００７９】
これまで説明してきたように、送信側でスペースコードは削除して必要なＭＰＥＧ２−ＴＳパケットのみＳＯＮＥＴ／ＳＤＨにマッピングしているため、パケット間の間隔情報はなくなってしまう。ＳＯＮＥＴ／ＳＤＨフレームは１２５μｓｅｃ周期で送信されるので、ＤＶＢ−ＡＳＩ信号の受信装置（図４におけるビデオスイッチ及び変換部５６）側では、１２５μｓｅｃの間隔内で受信データがバースト的になることが考えられる。
【００８０】
一般的にＤＶＢ−ＡＳＩの受信装置（ビデオスイッチ及び変換部５６）側のバッファ容量は５１２バイトと小さく、１２５μｓｅｃの短期間でもバースト的にＭＰＧＥ−２ＴＳパケットを転送すると、受信装置側バッファのオーバーフローが発生する。このオーバーフローが発生するメカニズムについて説明する。
【００８１】
図１９（Ａ），（Ｂ）は、横軸に時間（μｓｅｃ）、縦軸に送信データ量（バイト）をとり、ＳＯＮＥＴ／ＳＤＨの伝送単位である１２５μｓｅｃ間のデータ送信量を示したものである。グラフの傾きはそのデータ送信速度を意味する。ＤＶＢ−ＡＳＩの信号がフルレート２７０Ｍｂｐｓの場合、送信できるデータ量は８Ｂ／１０Ｂ変換のため、下記のようになる。
【００８２】
２７０Ｍｂｐｓ  ×  ８／１０  ＝  ２１６Ｍｂｐｓ  
図１９（Ａ）の実線及び図１９（Ｂ）の破線は、このフルレート時の時間とデータ送信量の関係を示している。グラフの傾きがフルレート時のデータ送信速度となる。図１９（Ｂ）の一点鎖線は、６４Ｍｂｐｓの伝送レート時の時間とデータ送信量の関係を示している。６４Ｍｂｐｓのレートで設定されたＤＶＢ−ＡＳＩ送信装置（図４のＩＲＴ５１等）は、上記一点鎖線で示す速度でデータを送信し、ＤＶＢ−ＡＳＩ受信装置（ビデオスイッチ及び変換部５６）も同じ速度でデータが入力されることを期待している。
【００８３】
本発明におけるＳＯＮＥＴ／ＳＤＨにＭＰＥＧ２−ＴＳデータをマッピングする方法では、パケット間の間隔情報はない。このため中継装置であるＳＯＮＥＴ／ＳＤＨ網を経由することにより、受信側でＭＰＥＧ２−ＴＳパケットの配置に偏りが発生する。この偏りは、図１９（Ｂ）の破線で示すフルレート時に、最大となる。
【００８４】
つまり、３７μｓｅｃの間はＭＰＥＧ２−ＴＳパケットがフルレートで伝送され、その後、１２５μｓｅｃまでＭＰＥＧ２−ＴＳパケットデータが送信されない場合である。この場合、３７μｓｅｃ時点で、ＤＶＢ−ＡＳＩ受信装置で処理できずＴＳバッファに蓄えられるＭＰＥＧ２−ＴＳパケットデータは最大７０４バイトとなり、一般的なＤＶＢ−ＡＳＩ受信装置のバッファ容量である５１２バイトを超えてしまい、オーバーフローが発生する。
【００８５】
これを解決するため、本実施形態では、図１８に示す第３バッファ９４に蓄積されているパケットをＳＯＮＥＴ／ＳＤＨのフレーム周期である１２５μｓｅｃ間隔で読み出しを行う。第３バッファ９４に蓄積されたパケット数のＭＰＥＧ２−ＴＳパケットを次の１２５μｓｅｃ間で均等に出力するために、各パケット間に挿入するスペースコード数を計算し、その数のスペースコードを挿入する。
【００８６】
これら一連の動作について図２０を用いて説明する。第３バッファ９４への入力と第３バッファ９４からの出力として示す正方形マークがＭＰＥＧ２−ＴＳパケットの１パケットを表わしている。ＰＫＴ＿ＣＮＴは第３バッファ９４に溜まったパケット数を表わしている。８Ｂ１０Ｂエンコーダ８６は１２５μｓｅｃ毎にＰＫＴ＿ＣＮＴ値を読み出し、溜まったパケット数から第３バッファ９４からの読み出し速度を計算する。
【００８７】
時点ＮではＰＫＴ＿ＣＮＴ＝０である。ＰＫＴ＿ＣＮＴ＝０の場合は、次の１２５μｓｅｃまでパケットの出力を停止する。
【００８８】
Ｎ＋１点では、ＰＫＴ＿ＣＮＴ＝５となり、この場合、５個のパケットが次の１２５μｓｅｃ間に均一に送信できるように、パケットの読み出しウエイト時間を計算し、一つのパケットを読み出すごとに上記読み出しウエイト時間だけウエイトさせてスペースコードを挿入する。また、ＰＫＴ＿ＣＮＴが１２５μで送信できる数の近辺もしくはその数を超えた場合は、読み出しウエイト時間を０とし連続送信を行う。
【００８９】
図２１に８Ｂ１０Ｂエンコーダ８６の構成を示す。同図中、８Ｂ１０Ｂエンコーダ８６は、８Ｂ１０Ｂ変換処理部８６ａと、リード制御部８６ｂと、ウエイト計算部８６ｃと、パケットカウント部８６ｄから構成されている。パケットカウント部８６ｄは、第３バッファ９４に溜まったパケット数ＰＫＴ＿ＣＮＴをカウントしてウエイト計算部８６ｃに通知する。
【００９０】
ウエイト計算部８６ｃは１２５μｓｅｃ毎にパケットカウント部８６ｄのＰＫＴ＿ＣＮＴを監視して、パケットを均一つまり等間隔に送出するような読み出しウエイト時間の計算を行ってリード制御部８６ｂに通知する。リード制御部８６ｂは、ＭＰＥＧ２−ＴＳパケットを出力する間隔が読み出しウエイト時間となるように第３バッファ９４にリード要求を行う。第３バッファ９４から読み出されたＭＰＥＧ２−ＴＳパケットは８Ｂ１０Ｂ変換処理部８６ａで８Ｂ１０Ｂ変換されて後続回路に向けて出力される。
【００９１】
なお、第３バッファ９４には過去１２５μｓｅｃに供給されたパケットを蓄積でき、かつ、１２５μｓｅｃ間にパケットのバースト転送がありえるために、バッファは少なくとも１２５μｓｅｃ間の２倍以上のパケットが蓄積できる容量が必要である。
【００９２】
これにより、パケット間の間隔情報がないＭＰＥＧ２―ＴＳパケットを、送信先のＤＶＢ−ＡＳＩ受信装置に対し、受信バッファオーバーフローを発生させずに送信することができる。
【００９３】
上述のように、ＤＶＢ−ＡＳＩ信号をＧＦＰフレームにマッピングしてＳＯＮＥＴ／ＳＤＨのバーチャルコンカチネーションのパスにマッピングして伝送することにより、ＣＡＴＶのヘッドエンド局から配信先のローカル局までの間を既存のＳＯＮＥＴ／ＳＤＨ網を利用して安価に伝送するシステムを構築することが可能となる。また、ＤＶＢ−ＡＳＩ信号をＳＯＮＥＴ／ＳＤＨ網に顧客側の必要帯域に応じてパスが張れるようにすることにより、きめ細かいサービスが可能となる。
【００９４】
また、設定されたＳＯＮＥＴ／ＳＤＨ網の帯域に合わせてレート制御を自動で行うため、煩雑な制御が不要となり、ＣＡＴＶのヘッドエンド局５０全体を制御する制御システムの負担を減らすことができる。
【００９５】
なお、高画質テレビジョン信号はＭＰＥＧ−２で１チャネル当り３．７５Ｍｂｐｓまで圧縮でき、通常のテレビジョン信号はＭＰＥＧ−２で１チャネル当り１．５〜２Ｍｂｐｓまで圧縮できるので、１チャネル当り１．５〜２ＭｂｐｓのＭＰＥＧ−２ＴＳパケットを多重したＤＶＢ−ＡＳＩ信号をビデオスイッチ５２に供給する構成としても良い。
【００９６】
なお、上記実施形態ではＳＯＮＥＴを例として説明したが、これはＳＤＨにおいても同様に実施でき、同期網はＳＯＮＥＴに限定されるものではない。
【００９７】
なお、伝送レート制御部６４が請求項記載の伝送レート設定手段に対応し、８Ｂ１０Ｂデコーダ６３が８Ｂ１０Ｂデコード手段に対応し、パケット抽出部７１がスペースコード削除手段に対応し、第１バッファ７２及び第２バッファ７４がパケット廃棄手段に対応し、ＧＦＰマッピング部７５がＧＦＰマッピング手段に対応し、ＳＯＮＥＴマッピング部６５が同期網マッピング手段に対応し、出力レート制御部８５が出力レート制御手段に対応し、ＳＯＮＥＴデマッピング部８４が同期網デマッピング手段に対応し、ＧＦＰデマッピング部９１がＧＦＰデマッピング手段に対応し、８Ｂ１０Ｂエンコーダ８６が８Ｂ１０Ｂエンコード手段に対応する。
（付記１）  複数チャネルが多重されたテレビジョン信号のトランスポートパケットをデジタル放送規格の伝送フォーマットで供給され、同期網にて伝送し配信する信号配信方法において、
顧客毎のチャネル多重数に応じて前記同期網における伝送レートを設定することを特徴とする信号配信方法。
（付記２）  付記１記載の信号配信方法において、
前記トランスポートパケットはＭＰＥＧ−２ＴＳパケットであり伝送フォーマットＤＶＢ−ＡＳＩで供給され、前記同期網はＳＯＮＥＴ又はＳＤＨ網であることを特徴とする信号配信方法。
（付記３）  付記２記載の信号配信方法において、
前記ＭＰＥＧ−２ＴＳパケット間の所定バイト数のスペースコード以外のスペースコードを削除して前記同期網に送出することを特徴とする信号配信方法。
（付記４）  付記１記載の信号配信方法において、
前記顧客毎に供給されるトランスポートパケットが前記顧客毎のチャネル多重数に応じ設定された同期網における伝送レートを超えたとき、供給されるトランスポートパケットを廃棄することを特徴とする信号配信方法。
（付記５）  複数チャネルが多重されたテレビジョン信号のトランスポートパケットをデジタル放送規格の伝送フォーマットで供給され、同期網に送出する送信装置において、
顧客毎のチャネル多重数に応じて前記同期網における伝送レートを設定する伝送レート設定手段を有することを特徴とする送信装置。
（付記６）  付記５記載の送信装置において、
前記トランスポートパケットはＭＰＥＧ−２ＴＳパケットであり伝送フォーマットＤＶＢ−ＡＳＩで供給され、前記同期網はＳＯＮＥＴ又はＳＤＨ網であることを特徴とする送信装置。
（付記７）  付記６記載の送信装置において、
前記伝送フォーマットＤＶＢ−ＡＳＩで供給される信号の８Ｂ１０Ｂデコードを行う８Ｂ１０Ｂデコード手段を有することを特徴とする送信装置。
（付記８）  付記６記載の送信装置において、
前記ＭＰＥＧ−２ＴＳパケット間の所定バイト数のスペースコード以外のスペースコードを削除するスペースコード削除手段を有することを特徴とする送信装置。
（付記９）  付記５または８記載の送信装置において、
前記顧客毎に供給されるトランスポートパケットが前記顧客毎のチャネル多重数に応じ設定された同期網における伝送レートを超えたとき、供給されるトランスポートパケットを廃棄するパケット廃棄手段を有することを特徴とする送信装置。
（付記１０）  付記９記載の送信装置において、
供給されるトランスポートパケットをＧＦＰフレームにマッピングするＧＦＰマッピング手段を有することを特徴とする送信装置。
（付記１１）  付記３記載の送信装置において、
バッファに溜まった前記トランスポートパケットが所定バイト数以上であれば前記所定バイト数のトランスポートパケットをスーパーブロックに変換し、前記トランスポートパケットが前記所定バイト数未満であれば所定時間だけ前記スーパーブロックへの変換を延期して再び前記トランスポートパケットが前記所定バイト数未満であればパッド制御コードを付加して前記所定バイト数とされたトランスポートパケットを前記スーパーブロックに変換し、変換されたスーパーブロックをＧＦＰフレームにマッピングするＧＦＰマッピング手段を有することを特徴とする送信装置。
（付記１２）  付記１０記載の送信装置において、
顧客毎のチャネル多重数に応じて前記ＧＦＰフレームをバーチャルコンカチネーションにより容量の異なるパスにマッピングして前記ＳＯＮＥＴ又はＳＤＨ網に送出する同期網マッピング手段を有することを特徴とする送信装置。
（付記１３）  デジタル放送規格の伝送フォーマットで複数チャネルが多重されたテレビジョン信号のトランスポートパケットが顧客毎のチャネル多重数に応じた伝送レートとされた信号を同期網から受信する受信装置であって、
受信信号から抽出したトランスポートパケットの間にスペースコードを埋め込んで出力レートを制御する出力レート制御手段を有することを特徴とする受信装置。
（付記１４）  付記１３記載の受信装置において、
前記トランスポートパケットはＭＰＥＧ−２ＴＳパケットで伝送フォーマットはＤＶＢ−ＡＳＩであり、前記同期網はＳＯＮＥＴ又はＳＤＨ網であることを特徴とする受信装置。
（付記１５）  付記１４記載の受信装置において、
前記ＳＯＮＥＴ又はＳＤＨ網から受信したパスをＧＦＰフレームにデマッピングする同期網デマッピング手段を有することを特徴とする受信装置。
（付記１６）  付記１５記載の受信装置において、
前記ＧＦＰフレームを前記トランスポートパケットにデマッピングするＧＦＰデマッピング手段を有することを特徴とする受信装置。
（付記１７）  付記１６記載の受信装置において、
前記トランスポートパケットの８Ｂ１０Ｂエンコードを行って前記伝送フォーマットＤＶＢ−ＡＳＩに変換する８Ｂ１０Ｂエンコード手段を有することを特徴とする受信装置。
（付記１８）  付記１３記載の受信装置において、
所定期間毎にバッファに溜まった前記トランスポートパケットのパケット数から次の所定期間に前記バッファから各トランスポートパケットを均一に読み出すための読み出しウエイト時間を計算し、前記バッファから各トランスポートパケットを読み出す毎に前記読み出しウエイト時間だけ読み出しを待機させ、前記バッファから読み出したトランスポートパケットの８Ｂ１０Ｂエンコードを行って伝送フォーマットＤＶＢ−ＡＳＩに変換する８Ｂ１０Ｂエンコード手段を有することを特徴とする受信装置。
【図面の簡単な説明】
【００９８】
【図１】従来のテレビジョン信号配信システムの一例のブロック図である。
【図２】従来のテレビジョン信号配信システムの他の一例のブロック図である。
【図３】従来のテレビジョン信号配信システムの別の一例のブロック図である。
【図４】本発明の信号配信方法を適用した伝送システムの一実施形態のブロック図である。
【図５】ＳＯＮＥＴ／ＳＤＨ送信部５３の一実施形態のブロック図である。
【図６】ＤＶＢ−ＡＳＩ信号をＳＴＳ−１−６ｖにマッピングする場合を説明するための図である。
【図７】マルチフレーム時のＨ４バイトについて説明するための図である。
【図８】ＳＴＳ−４８のデータを示す図である。
【図９】ＳＴＳ−１２の４系統並列データの構造を示す図である。
【図１０】ＤＶＢ−ＡＳＩ信号のフォーマットを示す図である。
【図１１】本発明における伝送レート制御を説明するためのブロック図である。
【図１２】ＧＦＰフレームフォーマットを示す図である。
【図１３】スーパーブロック変換処理の概要を示す図である。
【図１４】スーパーブロック化を説明するための図である。
【図１５】６４Ｂ／６５Ｂ変換部の構成を示す図である。
【図１６】６４Ｂ／６５Ｂ変換部の処理フローチャートである。
【図１７】ＳＯＮＥＴ／ＳＤＨ受信部の一実施形態のブロック図である。
【図１８】本発明における出力レート制御を説明するためのブロック図である。
【図１９】ＳＯＮＥＴ／ＳＤＨの伝送単位である１２５μｓｅｃ間のデータ送信量を示す図である。
【図２０】第３バッファからパケットを均等に出力する動作を説明するための図である。
【図２１】８Ｂ１０Ｂエンコーダの構成を示す図である。
【符号の説明】
【００９９】
５０  ヘッドエンド局
５２  ビデオスイッチ
５３  ＳＯＮＥＴ／ＳＤＨ送信部
５４  光伝送路
５５  ＳＯＮＥＴ／ＳＤＨ受信部
５６  ビデオスイッチ及び変換部
５７  コンバータ
５８  分配部
６０１〜６０ｍ  入力ポート
６１１〜６１ｍ  等化回路
６２１〜６２ｍ  クロック再生回路
６３  ８Ｂ１０Ｂデコーダ
６４  伝送レート制御部
６５  ＳＯＮＥＴマッピング部
６６，８３  ＢＷＢインタフェース
６７  ＳＴＳスイッチ
６８  送信部
７１  パケット抽出部
７２  第１バッファ
７３  ６４Ｂ／６５Ｂ変換部
７４  第２バッファ
７５  ＧＦＰマッピング部
８１  送信部
８２  ＳＴＳスイッチ
８４  ＳＯＮＥＴデマッピング部
８５  出力レート制御部
８６  ８Ｂ１０Ｂエンコーダ
８７１〜８７ｍ  ケーブルドライバ
８８１〜８８ｍ  アンプ
８９１〜８９ｍ  出力ポート
９１  ＧＦＰデマッピング部
９２  ６４Ｂ／６５Ｂ変換部
９３  パケット抽出部
９４  第３バッファ
【図１】
2006165599.tif 000003
【図２】
2006165599.tif 000004
【図３】
2006165599.tif 000005
【図４】
2006165599.tif 000006
【図５】
2006165599.tif 000007
【図６】
2006165599.tif 000008
【図７】
2006165599.tif 000009
【図８】
2006165599.tif 000010
【図９】
2006165599.tif 000011
【図１０】
2006165599.tif 000012
【図１１】
2006165599.tif 000013
【図１２】
2006165599.tif 000014
【図１３】
2006165599.tif 000015
【図１４】
2006165599.tif 000016
【図１５】
2006165599.tif 000017
【図１６】
2006165599.tif 000018
【図１７】
2006165599.tif 000019
【図１８】
2006165599.tif 000020
【図１９】
2006165599.tif 000021
【図２０】
2006165599.tif 000022
【図２１】
2006165599.tif 000023